【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
第１のネットワークからチューンアウェイした後、前記第１のネットワークへチューンバックすることと、
前記第１のネットワークへチューンバックした後に受信されたパケットが、アウトオブオーダーで受信されたことを決定することによって、トリガイベントが生じたことを決定することと、
前記決定に応じて、デフォルトのタイミング構成の使用を通して利用可能となるよりもより迅速に引き起こすために、否定的アクノレッジメント（ＮＡＣＫ）タイミング構成を修正することと、
前記修正されたＮＡＣＫタイミング構成に従って、１つまたは複数のＮＡＣＫを送信することと、
を備える、ユーザ機器（ＵＥ）によるワイヤレス通信の方法。
【請求項２】
１つまたは複数の喪失されたパケットを示す、パケットがアウトオブオーダーで受信されたことを決定することをさらに備え、前記トリガイベントを決定することは、アウトオブオーダーで受信されたパケットを記憶するために利用可能なメモリが、しきい値未満に下がったことを決定することを備える、請求項１に記載の方法。
【請求項３】
前記しきい値は、前記ＵＥにおいて構成可能である、請求項２に記載の方法。
【請求項４】
前記トリガイベントは、第１のネットワークからチューンアウェイした後に、前記第１のネットワークへチューンバックすることを備える、請求項１に記載の方法。
【請求項５】
第１のネットワークからチューンアウェイした後に、第１の受信チェーンを、前記第１のネットワークへチューンバックすることをさらに備え、前記第１の受信チェーンは、前記第１のネットワークのために構成された少なくとも２つの受信チェーンのうちの１つであり、
前記トリガイベントを決定することは、前記第１の受信チェーンが、前記第１のネットワークへチューンバックしたことを決定すること、または、前記チューンバック後に受信されたパケットが、アウトオブオーダーで受信されたことを決定すること、のうちの少なくとも１つを備える、
請求項１に記載の方法。
【請求項６】
前記修正することは、１つまたは複数の喪失されたパケットのためのＮＡＣＫの送信を、前記デフォルトのＮＡＣＫタイミング構成に対してより迅速に引き起こすために、アグレッシブなＮＡＣＫタイミング構成の時間期間を初期化することを備える、請求項１に記載の方法。
【請求項７】
前記アグレッシブなＮＡＣＫタイミング構成の前記時間期間中、再順序付けタイマのデフォルト値未満である値を用いて、前記再順序付けタイマを使用すること、
をさらに備える、請求項６に記載の方法。
【請求項８】
前記アグレッシブなＮＡＣＫタイミング構成の前記時間期間中、再順序付けタイマが満了することを待つことなく、１つまたは複数の喪失されたパケットのために１つまたは複数のＮＡＣＫを送信すること、
をさらに備える、請求項６に記載の方法。
【請求項９】
前記アグレッシブなＮＡＣＫタイミング構成の前記時間期間中、
アウトオブオーダーで受信されたパケットが、ネットワークへのチューンバック後に受信された最初のパケットである場合、再順序付けタイマが満了することを待つことなく、１つまたは複数の喪失されたパケットのためにＮＡＣＫを送信することと、
前記アウトオブオーダーで受信されたパケットが、前記ネットワークへのチューンバック後に受信された最初のパケットではない場合、再順序付けタイマのデフォルト値未満である値を用いて前記再順序付けタイマを初期化することと、
をさらに備える、請求項６に記載の方法。
【請求項１０】
前記時間期間は、前記ＵＥにおいて構成可能である、請求項６に記載の方法。
【請求項１１】
前記時間期間中に使用される再順序付けタイマの値は、前記ＵＥにおいて構成可能である、請求項６に記載の方法。
【請求項１２】
前記時間期間の満了後、デフォルトのＮＡＣＫタイミング構成へ復帰すること、
をさらに備える、請求項６に記載の方法。
【請求項１３】
第１のネットワークからチューンアウェイした後、前記第１のネットワークへチューンバックするための手段と、
前記第１のネットワークへチューンバックした後に受信されたパケットが、アウトオブオーダーで受信されたことを決定することによって、トリガイベントが生じたことを決定するための手段と、
前記決定に応じて、デフォルトのタイミング構成の使用を通して利用可能となるよりもより迅速に引き起こすために、否定的アクノレッジメント（ＮＡＣＫ）タイミング構成を修正するための手段と、
前記修正されたＮＡＣＫタイミング構成に従って、１つまたは複数のＮＡＣＫを送信するための手段と、
を備える、ワイヤレス通信のための装置。
【請求項１４】
少なくとも１つのプロセッサによって実行されるとき、
第１のネットワークからチューンアウェイした後、前記第１のネットワークへチューンバックすることと、
前記第１のネットワークへチューンバックした後に受信されたパケットが、アウトオブオーダーで受信されたことを決定することによって、トリガイベントが生じたことを決定することと、
前記決定に応じて、デフォルトのタイミング構成の使用を通して利用可能となるよりもより迅速に引き起こすために、否定的アクノレッジメント（ＮＡＣＫ）タイミング構成を修正することと、
前記修正されたＮＡＣＫタイミング構成に従って、１つまたは複数のＮＡＣＫを送信することと、
を備える方法、を実行する命令を記憶する、ユーザ機器（ＵＥ）によるワイヤレス通信のためのコンピュータ読取可能な媒体。
【手続補正２】
【補正対象書類名】明細書
【補正対象項目名】００８６
【補正方法】変更
【補正の内容】
【００８６】
[0094]前述した記述は、当業者が、本明細書に記述された様々な態様を実現することができるように提供されている。これらの態様に対する様々な変形は、当業者に容易に明らかになり、本明細書で定義された一般的な原理は、他の態様に適用され得る。したがって、特許請求の範囲は、本明細書で図示された態様に限定されず、特許請求の範囲の文言と首尾一貫した完全な範囲が与えられることが意図されており、ここにおいて、単数形による要素への参照は、明確にそのように述べられていないのであれば、「１つおよび１つのみ」を意味するのではなく、「１つまたは複数」を意味することが意図されている。特に明記されていない限り、用語「いくつか」は、１つまたは複数を称する。当業者に知られているか、または、後に知られることになるこの開示を通じて記述されている様々な態様の要素に対するすべての構造的および機能的な等価物が、参照によって本明細書に明確に組み込まれており、特許請求の範囲に包含されると意図される。さらに、本明細書で開示された何れも、このような開示が特許請求の範囲において明示的に述べられているか否かに関わらず、公衆に専用のものである（be dedicated）とは意図されていない。特許請求の範囲の要素が、「〜するための手段」という文言を用いて明示的に示されていないのであれば、特許請求の範囲の何れの要素も、ミーンズ・プラス・ファンクション（ｍｅａｎｓ  ｐｌｕｓ  ｆｕｎｃｔｉｏｎ）として解釈されるべきではない。
以下に、本願出願の当初の特許請求の範囲に記載された発明を付記する。
［Ｃ１］
トリガイベントが生じたことを決定することと、
前記決定に応じて、否定的アクノレッジメント（ＮＡＣＫ）タイミング構成を修正することと、
前記修正されたＮＡＣＫタイミング構成に従って、１つまたは複数のＮＡＣＫを送信することと、
を備える、ユーザ機器（ＵＥ）によるワイヤレス通信の方法。
［Ｃ２］
１つまたは複数の喪失されたパケットを示す、パケットがアウトオブオーダーで受信されたことを決定することをさらに備え、前記トリガイベントを決定することは、アウトオブオーダーで受信されたパケットを記憶するために利用可能なメモリが、しきい値未満に下がったことを決定することを備える、Ｃ１に記載の方法。
［Ｃ３］
前記しきい値は、前記ＵＥにおいて構成可能である、Ｃ２に記載の方法。
［Ｃ４］
第１のネットワークからチューンアウェイした後、前記第１のネットワークへチューンバックすること
をさらに備え、
前記トリガイベントを決定することは、前記第１のネットワークへチューンバックした後に受信されたパケットが、アウトオブオーダーで受信されたことを決定することを備える、
Ｃ１に記載の方法。
［Ｃ５］
前記トリガイベントは、第１のネットワークからチューンアウェイした後に、前記第１のネットワークへチューンバックすることを備える、Ｃ１に記載の方法。
［Ｃ６］
第１のネットワークからチューンアウェイした後に、第１の受信チェーンを、前記第１のネットワークへチューンバックすることをさらに備え、前記第１の受信チェーンは、前記第１のネットワークのために構成された少なくとも２つの受信チェーンのうちの１つであり、
前記トリガイベントを決定することは、前記第１の受信チェーンが、前記第１のネットワークへチューンバックしたことを決定すること、または、前記チューンバック後に受信されたパケットが、アウトオブオーダーで受信されたことを決定すること、のうちの少なくとも１つを備える、
Ｃ１に記載の方法。
［Ｃ７］
前記修正することは、１つまたは複数の喪失されたパケットのためのＮＡＣＫの送信を、デフォルトのＮＡＣＫタイミング構成に対してより迅速に引き起こすために、アグレッシブなＮＡＣＫタイミング構成の時間期間を初期化することを備える、Ｃ１に記載の方法。
［Ｃ８］
前記アグレッシブなＮＡＣＫタイミング構成の前記時間期間中、再順序付けタイマのデフォルト値未満である値を用いて、前記再順序付けタイマを使用すること、
をさらに備える、Ｃ７に記載の方法。
［Ｃ９］
前記アグレッシブなＮＡＣＫタイミング構成の前記時間期間中、再順序付けタイマが満了することを待つことなく、１つまたは複数の喪失されたパケットのために１つまたは複数のＮＡＣＫを送信すること、
をさらに備える、Ｃ７に記載の方法。
［Ｃ１０］
前記アグレッシブなＮＡＣＫタイミング構成の前記時間期間中、
アウトオブオーダーで受信されたパケットが、ネットワークへのチューンバック後に受信された最初のパケットである場合、再順序付けタイマが満了することを待つことなく、１つまたは複数の喪失されたパケットのためにＮＡＣＫを送信することと、
前記アウトオブオーダーで受信されたパケットが、前記ネットワークへのチューンバック後に受信された最初のパケットではない場合、再順序付けタイマのデフォルト値未満である値を用いて前記再順序付けタイマを初期化することと、
をさらに備える、Ｃ７に記載の方法。
［Ｃ１１］
前記時間期間は、前記ＵＥにおいて構成可能である、Ｃ７に記載の方法。
［Ｃ１２］
前記時間期間中に使用される再順序付けタイマの値は、前記ＵＥにおいて構成可能である、Ｃ７に記載の方法。
［Ｃ１３］
前記時間期間の満了後、デフォルトのＮＡＣＫタイミング構成へ復帰すること、
をさらに備える、Ｃ７に記載の方法。
［Ｃ１４］
トリガイベントが生じたことを決定するための手段と、
前記決定に応じて、否定的アクノレッジメント（ＮＡＣＫ）タイミング構成を修正するための手段と、
前記修正されたＮＡＣＫタイミング構成に従って、１つまたは複数のＮＡＣＫを送信するための手段と、
を備える、ワイヤレス通信のための装置。
［Ｃ１５］
１つまたは複数の喪失されたパケットを示す、パケットがアウトオブオーダーで受信されたことを決定するための手段をさらに備え、前記トリガイベントは、アウトオブオーダーで受信されたパケットを記憶するために利用可能なメモリが、しきい値未満に下がったことを決定することを備える、Ｃ１４に記載の装置。
［Ｃ１６］
前記しきい値は、前記装置において構成可能である、Ｃ１５に記載の装置。
［Ｃ１７］
第１のネットワークからチューンアウェイした後、前記第１のネットワークへチューンバックするための手段
をさらに備え、
前記トリガイベントは、前記第１のネットワークへチューンバックした後に受信されたパケットが、アウトオブオーダーで受信されたことを決定することを備える、
Ｃ１４に記載の装置。
［Ｃ１８］
前記トリガイベントは、第１のネットワークからチューンアウェイした後に、前記第１のネットワークへチューンバックすることを備える、Ｃ１４に記載の装置。
［Ｃ１９］
第１のネットワークからチューンアウェイした後に、第１の受信チェーンを、前記第１のネットワークへチューンバックするための手段をさらに備え、前記第１の受信チェーンは、前記第１のネットワークのために構成された少なくとも２つの受信チェーンのうちの１つであり、
前記トリガイベントは、前記第１の受信チェーンが、前記第１のネットワークへチューンバックしたことを決定すること、または、前記チューンバック後に受信されたパケットが、アウトオブオーダーで受信されたことを決定すること、のうちの少なくとも１つを備える、
Ｃ１４に記載の装置。
［Ｃ２０］
前記修正するための手段は、１つまたは複数の喪失されたパケットのためのＮＡＣＫの送信を、デフォルトのＮＡＣＫタイミング構成に対してより迅速に引き起こすために、アグレッシブなＮＡＣＫタイミング構成の時間期間を初期化するように構成される、Ｃ１４に記載の装置。
［Ｃ２１］
前記アグレッシブなＮＡＣＫタイミング構成の前記時間期間中、再順序付けタイマのデフォルト値未満である値を用いて、前記再順序付けタイマを使用するための手段、
をさらに備える、Ｃ２０に記載の装置。
［Ｃ２２］
前記アグレッシブなＮＡＣＫタイミング構成の前記時間期間中、再順序付けタイマが満了することを待つことなく、１つまたは複数の喪失されたパケットのために１つまたは複数のＮＡＣＫを送信するための手段、
をさらに備える、Ｃ２０に記載の装置。
［Ｃ２３］
前記アグレッシブなＮＡＣＫタイミング構成の前記時間期間中、
アウトオブオーダーで受信されたパケットが、ネットワークへのチューンバック後に受信された最初のパケットである場合、再順序付けタイマが満了することを待つことなく、１つまたは複数の喪失されたパケットのためにＮＡＣＫを送信することと、
前記アウトオブオーダーで受信されたパケットが、前記ネットワークへのチューンバック後に受信された最初のパケットではない場合、再順序付けタイマのデフォルト値未満である値を用いて前記再順序付けタイマを初期化することと、
を行うための手段、
をさらに備える、Ｃ２０に記載の装置。
［Ｃ２４］
前記時間期間は、前記装置において構成可能である、Ｃ２０に記載の装置。
［Ｃ２５］
前記時間期間中に使用される再順序付けタイマの値は、前記装置において構成可能である、Ｃ２０に記載の装置。
［Ｃ２６］
前記時間期間の満了後、デフォルトのＮＡＣＫタイミング構成へ復帰するための手段、
をさらに備える、Ｃ２０に記載の装置。
［Ｃ２７］
トリガイベントが生じたことを決定することと、
前記決定に応じて、否定的アクノレッジメント（ＮＡＣＫ）タイミング構成を修正することと、
前記修正されたＮＡＣＫタイミング構成に従って、１つまたは複数のＮＡＣＫを送信することと、
を行うように構成された少なくとも１つのプロセッサと、
前記少なくとも１つのプロセッサに結合されたメモリと、
を備える、ワイヤレス通信のための装置。
［Ｃ２８］
前記少なくとも１つのプロセッサは、１つまたは複数の喪失されたパケットのためのＮＡＣＫの送信を、デフォルトのＮＡＣＫタイミング構成に対してより迅速に引き起こすために、アグレッシブなＮＡＣＫタイミング構成の時間期間を初期化することによって前記ＮＡＣＫタイミング構成を修正するように構成される、Ｃ２７に記載の装置。
［Ｃ２９］
少なくとも１つのプロセッサによって実行されるとき、
トリガイベントが生じたことを決定することと、
前記決定に応じて、否定的アクノレッジメント（ＮＡＣＫ）タイミング構成を修正することと、
前記修正されたＮＡＣＫタイミング構成に従って、１つまたは複数のＮＡＣＫを送信することと、
を備える方法、を実行する命令を記憶する、ユーザ機器（ＵＥ）によるワイヤレス通信のためのコンピュータ読取可能な媒体。
［Ｃ３０］
前記修正することは、１つまたは複数の喪失されたパケットのためのＮＡＣＫの送信を、デフォルトのＮＡＣＫタイミング構成に対してより迅速に引き起こすために、アグレッシブなＮＡＣＫタイミング構成の時間期間を初期化することを備える、Ｃ２９に記載のコンピュータ読取可能な媒体。